(57)【特許請求の範囲】
【請求項１】
製品本体または製品本体を入れた製品本体函と、箱型形状をした付属品または付属品を入れた付属品函と、前記製品本体または製品本体函および前記付属品または付属品函を収納する箱と、前記製品本体または製品本体函の上部に載せられ前記製品本体または製品本体函と前記箱の内面との隙間に収納される緩衝材と、前記緩衝材の外側角部の底に切り欠き部を設けた前記付属品または付属品函の収納部とを備え、前記付属品または付属品函は中央部の厚さが下部の厚さよりも厚く、前記収納部の切り欠き部の幅を前記付属品または付属品函の下部と中央部の厚さの間の寸法に設定し、さらに前記箱の中央側で前記付属品または付属品函の厚さを変化させた面に接する前記収納部の側壁を上方に行くほど前記収納部が広くなるように傾斜させた包装体。
【請求項２】
緩衝材に形成した収納部の側壁のうち、傾斜させた側壁と反対側の側壁下部を付属品または付属品函の外形形状に合わせた請求項１記載の包装体。
【請求項３】
箱の天面を封緘する内フラップに付属品または付属品函側に折曲げる折曲げ部を設け、前記折曲げ部を付属品または付属品函の厚さを変化させた面に当接または近接させた請求項１記載の包装体。
【発明の詳細な説明】
【０００１】
【発明の属する技術分野】
本発明は、製品本体とその付属品を同じ一つの箱に収納する包装体に関する。
【０００２】
【従来の技術】
近年、環境保護の声の高まりとともに包装体に使用される緩衝材の大きさを小さくしようとする試みがなされている。
【０００３】
従来、この種の包装体は図５および図６に示すような構造が一般的であった。すなわち、１は製品本体または製品本体を入れた製品本体函で、２は製品本体または製品本体函１に取り付けられる箱型形状をした付属品または付属品を入れた付属品函である。製品本体または製品本体函１および付属品または付属品函２は箱３に収納され、製品本体または製品本体函１と箱３の内面との隙間は、製品本体または製品本体函１上に載せられた緩衝材４で埋められている。また、緩衝材４の外側角部には上下方向に付属品または付属品函２を収納する収納部５が設けられている。そして、収納部５の側壁５ａ，５ｂは、包装する時に付属品または付属品函２が上方から入れられるように垂直方向に設けられている。５ｃは収納部５の底である。
【０００４】
【発明が解決しようとする課題】
しかしながら、上記従来の構成では製品本体または製品本体函１および付属品または付属品函２を収納した箱３を運搬時に、付属品または付属品函２が位置する側の角３ａから誤って箱３を落下させた場合に、付属品または付属品函２と角３ａとが近いために付属品または付属品函２が落下時の衝撃を受けて破損するという問題があった。また、付属品または付属品函２の破損を防ぐために緩衝材４を下に延ばして付属品または付属品函２を角３ａから離した場合には、緩衝材４が大きくなるという問題があった。
【０００５】
【課題を解決するための手段】
前記の課題を解決するために、本発明は、付属品または付属品を入れた付属品函の中央部の厚さを下部の厚さよりも厚くし、緩衝材における付属品または付属品函の収納部の底に設けた切り欠き部の幅を、付属品または付属品函の下部と中央部の厚さの間の寸法に設定し、さらに箱の中央側で、かつ付属品または付属品函の厚さを変化させた面に接する緩衝材の収納部の側壁を上方に行くほど収納部が広くなるように傾斜させたもので、付属品または付属品函を下に下げるとともに傾けて収納し、箱の角から離すことにより、箱が角から落下しても付属品または付属品函が破損するといったことがない。また、緩衝材には切り欠き部を設け、かつ側壁を傾斜させて付属品または付属品函を箱の角から離す構成としているため、緩衝材が大きくなるといったこともない。
【０００６】
【発明の実施の形態】
本発明の請求項１記載の発明は、付属品または付属品を入れた付属品函の中央部の厚さを下部の厚さよりも厚くし、緩衝材における付属品または付属品函の収納部の底に設けた切り欠き部の幅を付属品または付属品函の下部と中央部の厚さの間の寸法に設定し、さらに箱の中央側で、かつ付属品または付属品函の厚さを変化させた面に接する緩衝材の収納部の側壁を上方に行くほど収納部が広くなるように傾斜させることにより、付属品または付属品函を下に下げるとともに傾けて収納し、箱の角から離すことができ、箱が角から落下しても付属品または付属品函が破損するといったことがなく、緩衝材には切り欠き部を設け、かつ側壁を傾斜させて付属品または付属品函を角から離す構成としているため、緩衝材が大きくなるといったこともない。
【０００７】
本発明の請求項２記載の発明は、緩衝材における収納部の側壁のうち、傾斜させた側壁と反対側の側壁下部を付属品または付属品函の外形形状に合わせたもので、付属品または付属品函を収納部に入れた時に付属品または付属品函の下部に押されて自然に傾き、収納時に付属品または付属品函を手で傾けてやる必要がない。また、付属品または付属品函が側壁の下部に押されているため、箱を大きく揺らしたりしても付属品または付属品函がまっすぐに立ってしまうといったことがない。
【０００８】
本発明の請求項３記載の発明は、天面を封緘する内フラップに付属品または付属品函側に折曲げる折曲げ部を設け、折曲げ部を付属品または付属品函の厚さを変化させた面に当接または近接させたもので、折曲げ部を付属品または付属品函に当てることにより運送時の衝撃等で付属品または付属品函が浮き上がるのを防ぐことができる。
【０００９】
【実施例】
（実施例１）
以下、本発明の実施例１について、図１および図２により説明する。
【００１０】
図において、１１は製品本体で、１２は製品本体１１に取り付けられる箱型形状をした付属品で、中央部の厚さが下部の厚さよりも厚くなっている。製品本体１１および付属品１２は箱１３に収納され、製品本体１１と箱１３の内面との隙間には製品本体１１上に載せられた緩衝材１４が装入されている。また、緩衝材１４の外側角部には上下方向に所謂肉をぬすんで付属品１２を収納する収納部１５が設けられている。収納部１５の底には切り欠き部１５ｃが設けられ、切り欠き部１５ｃの幅ｗは付属品１２の下部と中央部の厚さの間の寸法に設定されている。さらに、付属品１２の厚さを変化させた面１２ａに接する収納部１５の側壁１５ａは上方に行くほど収納部１５が広くなるように傾斜させてある。
【００１１】
次に、本実施例１における作用について説明する。製品本体１１および付属品１２を収納する時には、まず、製品本体１１を箱に入れ、その上に緩衝材１４を載せる。そして、付属品１２を緩衝材１４の収納部１５に上方から入れる。この時、切り欠き部１５ｃの幅ｗを付属品１２の下部と中央部の厚さの間の寸法に設定しているため、付属品１２は下部が切り欠き部１５ｃの間に落ち込み、箱１３の角１３ａから離れる。また、付属品１２を側壁１５ａの傾斜に沿って傾けてやると付属品１２が角１３ａからいっそう離れ、箱１３が角１３ａの方向から落下しても付属品１２が破損するといったことがない。そして、付属品１２を角１３ａから離す方法として切り欠き部１５ｃを設け、かつ側壁１５ａを傾斜させる構成としているため、緩衝材１４を下に延ばしたりする必要がなく、かつ大きくなるといったこともない。なお、製品本体１１は製品本体１１を入れた製品本体函、付属品１２は付属品１２を入れた付属品函であっても同様である。
【００１２】
（実施例２）
次に、本発明の実施例２について説明する。
【００１３】
図３に示す実施例２では、傾斜させた側壁１５ａと反対側の側壁１５ｂの下部を付属品１２の外形形状に合わせて形成している。側壁１５ｂの下部を付属品１２の外形形状に合わせることにより、付属品１２を収納部１５に入れた時に付属品１２が側壁１５ｂの下部に押されて自然に傾き、収納時に付属品１２を手で傾けてやる必要がない。また、付属品１２が側壁１５ｂの下部に押されているため、箱１３を大きく揺らしたりしても付属品１２がまっすぐに立ってしまうといったことがない。なお、付属品１２は付属品１２を入れた付属品函であっても同様である。
【００１４】
（実施例３）
次に、本発明の実施例３について説明する。
【００１５】
図４に示す実施例３では、箱１３の天面を封緘する内フラップ１３ｂに付属品１２側に折曲げる折曲げ部１３ｃを設けてあり、収納時には折曲げ部１３ｃを折曲げて付属品１２の厚さを変化させた面１２ａに当接または近接させてある。そして、この構成としたことにより、運送時に衝撃が加わり付属品１２が箱１３の角１３ａに近づこうとしても折曲げ部１３ｃが付属品１２の厚さを変化させた面１２ａに当たり、付属品１２が浮き上がるのを防ぐことができ、付属品１２の破損防止をいっそう確実にすることができる。なお、付属品１２は付属品１２を入れた付属品函であっても同様である。
【００１６】
【発明の効果】
請求項１記載の発明によれば、付属品または付属品を入れた付属品函の中央部の厚さを下部の厚さよりも厚くし、緩衝材の付属品または付属品函収納部の底に設けた切り欠き部の幅を付属品または付属品函の下部と中央部の厚さの間の寸法に設定し、さらに箱の中央側で、かつ付属品または付属品函の厚さを変化させた面に接する収納部の側壁を上方に行くほど収納部が広くなるように傾斜させたことにより、付属品または付属品函を下に下げるとともに傾けて箱の角から離すことができ、箱が落下しても付属品または付属品函を破損するといったことがない。また、切り欠きを設け、かつ側壁を傾斜させて付属品または付属品函を角から離す構成としているため、緩衝材が大きくなるといったこともない。
【００１７】
請求項２記載の発明によれば、収納部の側壁のうち傾斜させた側壁と反対側の側壁下部を付属品または付属品函の外形形状に合わせたことにより、付属品または付属品函を収納部に入れた時に付属品または付属品函が側壁の下部に押されて自然に傾き、収納時に付属品または付属品函を手で傾けてやる必要がない。また、付属品または付属品函が側壁の下部に押されているため、箱を大きく揺らしたりしても付属品または付属品函がまっすぐに立ってしまうといったことがない。
【００１８】
請求項３記載の発明によれば、天面を封緘する内フラップに付属品または付属品函側に折曲げる折曲げ部を設け、折曲げ部を付属品または付属品函の厚さを変化させた面に当接または近接させたことにより、運送時に衝撃等が加わっても折曲げ部が付属品または付属品函に当たり付属品または付属品函の浮きを防ぐことができる。また、付属品または付属品函の破損防止をいっそう確実にすることができる。
【図面の簡単な説明】
【図１】本発明の実施例１における包装体の分解斜視図
【図２】同包装体の断面図
【図３】本発明の実施例２における包装体の断面図
【図４】本発明の実施例３における包装体の断面図
【図５】従来例における包装体の分解斜視図
【図６】同包装体の断面図
【符号の説明】
１１  製品本体
１２  付属品
１２ａ  付属品の厚さを変化させた面
１３  箱
１３ａ  角
１３ｂ  内フラップ
１３ｃ  折曲げ部
１４  緩衝材
１５  収納部
１５ａ，１５ｂ  側壁
１５ｃ  切り欠き部
ｗ  幅
【図１】
0003721679.tif 000002
【図２】
0003721679.tif 000003
【図３】
0003721679.tif 000004
【図４】
0003721679.tif 000005
【図５】
0003721679.tif 000006
【図６】
0003721679.tif 000007